(57)【要約】【課題】オリフィスを回動操作により着脱可能にして羽根の掃除が容易にできるようにするとともに、オリフィスとファンケーシングの間に接合面を設けることで気密を保つことができる送風機を提供すること。【解決手段】通風を行なう羽根１と、この羽根１を駆動するモーター２と、羽根１とモーター２を内蔵するファンケーシング３と、このファンケーシング３の吸込口１４に着脱自在に固定されるオリフィス４とを備え、ファンケーシング３の吸込口１４の内周縁部に第１の段差部１６を設け、第１の段差部１６に対応した第２の段差部１７を有するオリフィス４を回動して着脱するために、オリフィス４の外周縁部に爪部５を設け、ファンケーシング３の内周縁部の対向する位置に切欠部６を設ける構成とする。【選択図】図１
2005291550.tif 000002
【特許請求の範囲】
【請求項１】
通風を行なう羽根と、この羽根を駆動するモーターと、前記羽根と前記モーターを内蔵するファンケーシングと、このファンケーシングの吸込口に着脱自在に固定されるオリフィスとを備えた送風機において、前記ファンケーシングと前記オリフィスはその接合面をそれぞれについて２面以上形成して着脱自在に構成されることを特徴とする送風機。
【請求項２】
前記ファンケーシングの吸込口の内周縁部に第１の段差部を設け、前記第１の段差部に重なり合うように、前記オリフィスの裏面側に第２の段差部を設けて前記接合面を構成することを特徴とする請求項１記載の送風機。
【請求項３】
前記第１の段差部はファンケーシングの内周縁部をその外側よりも凹状に形成したことを特徴とする請求項２記載の送風機。
【請求項４】
前記オリフィスを回動させて前記ファンケーシングと着脱自在とすることを特徴とする請求項１〜３のいずれかに記載の送風機。
【請求項５】
ファンケーシングとオリフィスを固定する爪部を前記ファンケーシングまたは前記オリフィスの一方に設け、前記ファンケーシングまたは前記オリフィスの前記爪部を設けない他方に前記爪部を挿入する切欠部をそれぞれ複数個設けて、前記オリフィスの前記爪部の上面とオリフィスの外周縁部の下面とで前記ファンケーシングの吸込口の内周縁部を挟み込んで前記オリフィスを前記ファンケーシングに固定し、または前記ファンケーシングの爪部の下面とファンケーシングの内周縁部の上面とでオリフィスの外周縁部を挟み込んで前記オリフィスを前記ファンケーシングに固定することを特徴とする請求項４記載の送風機。
【請求項６】
オリフィスの外周縁部に爪部を複数個設け、前記ファンケーシングの吸込口の内周縁部には前記爪部を挿入する切欠部を複数個設けて、前記オリフィスの爪部の上面と前記オリフィスの外周縁部の下面とで前記ファンケーシングの吸込口の内周縁部を挟み込んでオリフィスをファンケーシングに固定することを特徴とする請求項４記載の送風機。
【請求項７】
前記爪部の上面側に対向する位置でオリフィスの外周縁部に爪切欠部を設けたことを特徴とする請求項６記載の送風機。
【請求項８】
ファンケーシングの吸込口の内周縁部に設けた切欠部を、前記ファンケーシングの内周縁部に凹状に形成した前記第１の段差部の内径よりも内側に設けるとともに、オリフィスの外周縁部に形成した前記爪部を前記オリフィスの外径よりも内側に設けたことを特徴とする請求項７記載の送風機。
【請求項９】
ファンケーシングとオリフィスとの前記接合面へ複数個の凸部を前記ファンケーシングまたは前記オリフィスの一方に設け、前記ファンケーシングまたは前記オリフィスの凸部を設けない他方に前記凸部に係合する凹部もしくは穴を設けたことを特徴とする請求項４〜８のいずれかに記載の送風機。
【請求項１０】
オリフィスを回動するためのつまみを前記オリフィスに設け、前記つまみを設けた箇所の裏面側に凸部を設けたことを特徴とする請求項４〜９のいずれかに記載の送風機。
【請求項１１】
オリフィスの外周縁部に設けた爪部は前記オリフィスをファンケーシングに取り付ける際にその回動方向の先端の厚みが傾斜により薄くなる形状としたことを特徴とする請求項４〜１０のいずれかに記載の送風機。
【請求項１２】
オリフィスの吸込面に前記オリフィスの内側が低くなる段差を設けたことを特徴とする請求項１〜１１のいずれかに記載の送風機。
【請求項１３】
オリフィスの吸込面に設けた前記オリフィスの内側が低くなる段差にフィルターを設けたことを特徴とする請求項１２記載の送風機。
【請求項１４】
オリフィスの吸込面に設けた前記オリフィスの内側が低くなる段差にフィルターを設けた際、前記フィルターの吸込面側の外周縁部と前記オリフィスとが面一に形成されることを特徴とする請求項１３記載の送風機。
【請求項１５】
オリフィスに対するフィルターの向き、及びファンケーシングに対する前記オリフィスの向きを一義的に決めてそれぞれ固定することを特徴とする請求項１３または１４記載の送風機。
【発明の詳細な説明】
【技術分野】
【０００１】
本発明は、換気装置、送風機器などに用いられ、着脱自在なオリフィスを有する送風機に関するものである。
【背景技術】
【０００２】
従来、この種の送風機としては、レンジフードファンにおいて、ベルマウスをケーシングにネジ止めするものが知られている。（例えば、特許文献１参照）。
【０００３】
以下、そのレンジフードファンについて図９を参照しながら説明する。説明の中のベルマウスは本発明のオリフィスと同様の用途を有するものである。
【０００４】
図に示すように、下方を開放したフード１０１の天板１０１ａ に多翼ファン１０６を抜き差しし得る通孔１０７を開設し、天板上面には多翼ファン１０６の駆動モータ１０３を備えたファンケーシング１０２を該駆動モータ１０３の回転軸を通孔１０７の中心に合致させて載置固定し、多翼ファン１０６を通孔１０７を通して駆動モータ１０３の回転軸に組み付け、天板１０１ａ内面には通孔１０７にベルマウス１０９を止めネジ１０８にて取り付けるとともに、そのベルマウス１０９の下方にフィルタ１０５を着脱自在に取り付けている。
【特許文献１】特開平１０−５４５９５号公報
【発明の開示】
【発明が解決しようとする課題】
【０００５】
このような従来の送風機の構成では、羽根の掃除のための分解には、工具等が必要で簡単な操作では行なえず、また、ファンケーシングとベルマウスの接合面は１面のみ形成されているため、ファンケーシングのベルマウス周辺部に隙間が生じやすい構造となり、ファンケーシング内の気密が低下するという課題があった。
【０００６】
本発明は、上記課題を解決するもので、羽根の着脱が可能な開口をファンケーシングに設けるために吸込口を形成するオリフィスを回動操作により着脱可能にして、ファンケーシング内部の掃除が容易にできるようにするとともに、オリフィスとファンケーシングの間の気密を保つことができる送風機を提供することを目的としている。
【課題を解決するための手段】
【０００７】
前記従来の技術を解決するために、本発明の送風機は、通風を行なう羽根と、この羽根を駆動するモーターと、前記羽根と前記モーターを内蔵するファンケーシングと、このファンケーシングの吸込口に着脱自在に固定されるオリフィスとを備えた送風機において、前記ファンケーシングと前記オリフィスはその接合面をそれぞれについて２面以上形成して着脱自在に構成されることを特徴としたものである。
【０００８】
また、本発明の送風機は、前記ファンケーシングの吸込口の内周縁部に第１の段差部を設け、前記第１の段差部に重なり合うように、前記オリフィスの裏面側に第２の段差部を設けて前記接合面を構成することを特徴としたものである。
【０００９】
また、本発明の送風機は、前記第１の段差部はファンケーシングの内周縁部をその外側よりも凹状に形成したことを特徴としたものである。
【００１０】
また、本発明の送風機は、前記オリフィスを回動させて前記ファンケーシングと着脱自在とすることを特徴としたものである。
【００１１】
また、本発明の送風機は、ファンケーシングとオリフィスを固定する爪部を前記ファンケーシングまたは前記オリフィスの一方に設け、前記ファンケーシングまたは前記オリフィスの前記爪部を設けない他方に前記爪部を挿入する切欠部をそれぞれ複数個設けて、前記オリフィスの前記爪部の上面とオリフィスの外周縁部の下面とで前記ファンケーシングの吸込口の内周縁部を挟み込んで前記オリフィスを前記ファンケーシングに固定し、または前記ファンケーシングの爪部の下面とファンケーシングの内周縁部の上面とでオリフィスの外周縁部を挟み込んで前記オリフィスを前記ファンケーシングに固定することを特徴としたものである。
【００１２】
また、本発明の送風機は、オリフィスの外周縁部に爪部を複数個設け、前記ファンケーシングの吸込口の内周縁部には前記爪部を挿入する切欠部を複数個設けて、前記オリフィスの爪部の上面と前記オリフィスの外周縁部の下面とで前記ファンケーシングの吸込口の内周縁部を挟み込んでオリフィスをファンケーシングに固定することを特徴としたものである。
【００１３】
また、本発明の送風機は、前記爪部の上面側に対向する位置でオリフィスの外周縁部に爪切欠部を設けたことを特徴としたものである。
【００１４】
また、本発明の送風機は、ファンケーシングの吸込口の内周縁部に設けた切欠部を、前記ファンケーシングの内周縁部に凹状に形成した前記第１の段差部の内径よりも内側に設けるとともに、オリフィスの外周縁部に形成した前記爪部を前記オリフィスの外径よりも内側に設けたことを特徴としたものである。
【００１５】
また、本発明の送風機は、ファンケーシングとオリフィスとの前記接合面へ複数個の凸部を前記ファンケーシングまたは前記オリフィスの一方に設け、前記ファンケーシングまたは前記オリフィスの凸部を設けない他方に前記凸部に係合する凹部もしくは穴を設けたことを特徴としたものである。
【００１６】
また、本発明の送風機は、オリフィスを回動するためのつまみを前記オリフィスに設け、前記つまみを設けた箇所の裏面側に凸部を設けたことを特徴としたものである。
【００１７】
また、本発明の送風機は、オリフィスの外周縁部に設けた爪部は前記オリフィスをファンケーシングに取り付ける際にその回動方向の先端の厚みが傾斜により薄くなる形状としたことを特徴としたものである。
【００１８】
また、本発明の送風機は、オリフィスの吸込面に前記オリフィスの内側が低くなる段差を設けたことを特徴としたものである。
【００１９】
また、本発明の送風機は、オリフィスの吸込面に設けた前記オリフィスの内側が低くなる段差にフィルターを設けたことを特徴としたものである。
【００２０】
また、本発明の送風機は、オリフィスの吸込面に設けた前記オリフィスの内側が低くなる段差にフィルターを設けた際、前記フィルターの吸込面側の外周縁部と前記オリフィスとが面一に形成されることを特徴としたものである。
【００２１】
また、本発明の送風機は、オリフィスに対するフィルターの向き、およびファンケーシングに対する前記オリフィスの向きを一義的に決めてそれぞれ固定することを特徴としたものである。
【発明の効果】
【００２２】
本発明の送風機によれば、ファンケーシング内の気密性を維持しつつオリフィスの着脱を行なうことができ、ファンケーシングに内蔵された羽根およびモーターの掃除、メンテナンスを容易に行なうことができる。
【発明を実施するための最良の形態】
【００２３】
請求項１記載の送風機の発明は、通風を行なう羽根と、この羽根を駆動するモーターと、前記羽根と前記モーターを内蔵するファンケーシングと、前記ファンケーシングの吸込口に着脱自在に固定されるオリフィスとを備えた送風機において、前記ファンケーシングと前記オリフィスはその接合面をそれぞれについて２面以上形成して着脱自在に構成されるので、ファンケーシングとオリフィスを結合するときの隙間の発生を抑え、前記接合面が１面のときよりもさらに密着性を向上することによりファンケーシング内の気密を確保することができる。
【００２４】
請求項２記載の送風機の発明は、前記ファンケーシングの吸込口の内周縁部に第１の段差部を設け、前記第１の段差部に重なり合うように、前記オリフィスの裏面側に第２の段差部を設け、第１の段差部と第２の段差部で接合面を形成するように嵌合させることにより、オリフィスの放射状方向のがたつきを抑え、接合面の密着力も増すため、オリフィスをファンケーシングに確実に固定し、ファンケーシング内の気密をさらに保持することができる。
【００２５】
請求項３記載の送風機の発明は、前記第１の段差部をファンケーシングの内周縁部をその外側よりも凹形状としたので、オリフィスの吸込面がファンケーシングの吸込面側から突出するのを防止させることができ、ファンケーシングの吸込面に沿う流れを形成して、気流の抵抗を減少させることができる。
【００２６】
請求項４記載の送風機の発明は、前記オリフィスを回動させて前記ファンケーシングと着脱自在としているので、手でオリフィスを回動させるという簡単な操作で確実に着脱することができる。
【００２７】
請求項５記載の送風機の発明は、ファンケーシングとオリフィスを固定する爪部を前記ファンケーシングまたは前記オリフィスの一方に設け、前記ファンケーシングまたは前記オリフィスの前記爪部を設けない他方に前記爪部を挿入する切欠部をそれぞれ複数個設けて、前記オリフィスの前記爪部の上面とオリフィスの外周縁部の下面とで前記ファンケーシングの吸込口の内周縁部を挟み込んで前記オリフィスを前記ファンケーシングに固定し、または前記ファンケーシングの爪部の下面とファンケーシングの内周縁部の上面とでオリフィスの外周縁部を挟み込んでオリフィスをファンケーシングに固定するので、ファンケーシングまたはオリフィスを爪部で挟み込み、オリフィスの前後方向のがたつきを抑え、接合面を密着させるので、オリフィスの脱落を防止し、よりファンケーシング内の気密を確保することができる。
【００２８】
請求項６記載の送風機の発明は、オリフィスの外周縁部に爪部を複数個設け、前記ファンケーシングの吸込口の内周縁部には前記爪部を挿入する切欠部を複数個設けて、前記オリフィスの爪部の上面と前記オリフィスの外周縁部の下面とで前記ファンケーシングの吸込口の内周縁部を挟み込んでオリフィスをファンケーシングに固定することを特徴とするので、爪部がファンケーシング内側に挿入されるため、吸込面側のへ突出をなくすことができ、ファンケーシング吸込面に沿う流れを形成して、気流の抵抗を減少させることができる。
【００２９】
請求項７記載の送風機の発明は、前記爪部の上面側に対向する位置でオリフィスの外周縁部に爪切欠部を設けているので、オリフィスを射出成形する際にアンダーカットをなくすことができ、成形が容易にできるようになる。
【００３０】
請求項８記載の送風機の発明は、ファンケーシングの吸込口の内周縁部に設けた切欠部を、前記ファンケーシングの内周縁部に凹状に形成した前記第１の段差部の内径よりも内側に設けるとともに、オリフィスの外周縁部に形成した前記爪部を前記オリフィスの外径よりも内側に設けているので、前記爪部を前記切欠部に挿入しオリフィスを回動させると、オリフィスの外周縁部が前記切欠部に覆いかぶさって完全に塞ぐことができるので、さらにファンケーシング内の気密を確保することができる。
【００３１】
請求項９記載の送風機の発明は、ファンケーシングとオリフィスとの前記接合面へ複数個の凸部を前記ファンケーシングまたは前記オリフィスの一方に設け、前記ファンケーシングまたは前記オリフィスの凸部を設けない他方に前記凸部に係合する凹部もしくは穴を設けているので、オリフィスの前記爪部を前記切欠部に挿入すると、前記凸部が前記ファンケーシングの内周縁部の第１の段差部に当接し、前記オリフィスが弓状に変形し前記接合面を点接触にして、摩擦抵抗を減らすことができ、装着時には前記凸部と前記凹部もしくは穴が嵌合し、弓状の変形が元の形状に戻り、再び接合面を形成するので、回動を少ない力でスムーズに行なうことができ、前記凸部と凹部もしくは穴部の嵌合により正しい装着位置を確認することができる。
【００３２】
請求項１０記載の送風機の発明は、オリフィスを回動するためのつまみを前記オリフィスに設け、前記つまみを設けた箇所の裏面側に凸部を設けているので、オリフィスを取り外すときはつまみを指で引張ってオリフィスのつまみの裏面に設けた凸部を凹部もしくは穴から容易に外してオリフィスを回転させることができるので、より確実に取り外しを行なうことができる。
【００３３】
請求項１１記載の送風機の発明は、オリフィスの外周縁部に設けた爪部は前記オリフィスをファンケーシングに取り付ける際にその回動方向の先端の厚みが傾斜により薄くなる形状としているので、回動の最初の段階ではファンケーシングの内周縁部下面と前記爪部上面とで形成される空間が広く、ファンケーシングを挟み込みやすい形状となっており、回動とともにファンケーシングの内周縁部下面と前記爪部上面とで形成される空間が狭くなっていき、ファンケーシングを挟み込む力を増大させることができるので、より少ない力でオリフィスの回動を行なうことができるとともに、接合面を密着させることができるので、より気密を確保することができる。
【００３４】
請求項１２記載の送風機の発明は、オリフィスの吸込面に前記オリフィスの内側が低くなる段差を設けているので、オリフィス裏面の段差に合わせて樹脂肉厚を均一にすることができ、樹脂成形時の熱収縮による変形を抑えることができるなど、成形の品質が安定する。
【００３５】
請求項１３記載の送風機の発明は、オリフィスの吸込面に設けた前記オリフィスの内側が低くなる段差にフィルターを設けているので、送風機作動時のケーシング内への埃の侵入を防ぎ掃除の困難な羽根やモーターを含むケーシング内部への埃の付着を防ぐことができ、着脱の容易なフィルター部分の掃除だけですむため、掃除性が向上する。
【００３６】
請求項１４記載の送風機の発明は、オリフィスの吸込面に設けた前記オリフィスの内側が低くなる段差にフィルターを設けた際、前記フィルターの吸込面側の外周縁部と前記オリフィスとが面一に形成されるので、ファンケーシングの吸込面側の突出を軽減させることができ、ファンケーシングの吸込面に沿うような風路の抵抗を減少させることができる。
【００３７】
請求項１５記載の送風機の発明は、オリフィスに対するフィルターの向き、およびファンケーシングに対する前記オリフィスの向きを一義的に決めてそれぞれ固定するので、フィルターのメッシュ方向を単一方向にのみ取り付けできることで、性能の安定を図ることができる。
【００３８】
以下、本発明の実施の形態について、換気扇に設けた送風機を例にして図１〜図８を参照しながら説明する。
【００３９】
（実施の形態１）
図１に示すように、壁１９にパイプ２０を埋設して形成される換気口２１の屋内側に、羽根１を取り付けたモーター２と、羽根１およびモーター２を内蔵するファンケーシング３とで構成される送風機１５を備えた換気扇本体２２が取り付けられ、換気扇本体２２の前面にはパネル２３が設けられ、換気口２１の屋外側にはフード２４が取り付けられて換気扇を構成する。
【００４０】
屋内の空気は、前面パネル２３の開口部より取り込まれ、図１の矢印に示すような気流が形成されて、ファンケーシング３に沿って吸込口１４、羽根１、換気口２１を順に通って屋外側のフード２４から排出される。
【００４１】
また、前記送風機１５において、ファンケーシング３の内周縁部をその外側よりも凹形状となるように第１の段差部１６を設け、第１の段差部１６に重なり合うような第２の段差部１７を設けたオリフィス４は外周縁部にオリフィス４の外径より内側に爪部５を設けている。ファンケーシング３の内周縁部にはオリフィス４に設けた爪部５に対向する位置に、切欠部６を第１の段差部１６の内径より内側に設け、また爪部５よりも大きくなる大きさで設けている。オリフィス４の第２の段差部１７には凸部９を２箇所設け、それに対向するファンケーシング３の第１の段差部１６には凹部８を凸部９と同じ数だけ設けている。
【００４２】
かかる構成によれば、図２および図３に示すように、オリフィス４に設けた爪部５を、ファンケーシング３の内周縁部に設けた切欠部６に矢印方向に挿入するし、円周に沿った矢印方向に回動させることで、オリフィス４はファンケーシング３に固定される。このとき、オリフィス４の第２の段差部１７に設けた凸部９がファンケーシング３の第１の段差部１６の面と当接してオリフィス４が弓状に変形することにより、点接触を形成し、回動時の摩擦抵抗を減らしスムーズな回動が得られ、さらにオリフィス４を回動させていくと凸部９がファンケーシング３の第１の段差部に設けられた凹部８に嵌合し、オリフィス４の弓状の変形が元の形状に戻り、オリフィス４は所定の角度でファンケーシング３に固定され、オリフィス４外周縁部で切欠部６を完全に塞ぐことができる。また、図１に示すように、爪部５の上面とオリフィス４の外周縁部下面とで、ファンケーシング３の内周縁部を挟み込み、接合面を３面形成して、ファンケーシング３の吸込面側への突出がないように着脱可能に固定されるので、ファンケーシング３内の気密の確保することができる。また、図１に示すようなファンケーシング３の吸込面に沿う流れを形成し気流の抵抗を低減させるので、ファンケーシング３からの風漏れをなくし、効率的な送風性能を得ることができる。このことにより、送風機の省電力化や低騒音化が図れるため、特に屋内で使用する送風機器や換気扇に有用である。
【００４３】
特に、図１に示すように、壁掛け型や天井埋込型等の換気扇であって、吸込口が室内側に近く、換気扇本体の前面に形成される構成の換気扇において、騒音が直接的に室内にいる使用者などに伝わるため、本発明の送風機をこのような換気扇に用いることは、騒音低減の効果は大きく有用である。また、２４時間連続的に使用される常時換気型換気扇においては、本発明の空気漏れの防止効果により、騒音低減とともに、省電力化の効果が顕著である。
【００４４】
また、オリフィス４を着脱可能とすることで、ファンケーシング３の吸込面に羽根１の外形より大きな開口を形成することができ、羽根１の着脱が自在となるので、羽根１の掃除性が向上し、ファンケーシング３の内部の掃除性も向上する。特に屋内で使用する送風機器や換気扇では、綿ぼこりなど粒子の粗い埃が多いため、羽根１に付着した埃により送風性能が低下することがあるので、羽根１を取り外して掃除すれば、容易に本来の送風性能を取り戻すことが可能になる。
【００４５】
なお、本実施の形態において、凸部９および凹部８はそれぞれ２箇所設けたが、１箇所またはそれ以上設けても同様の効果を発揮する。
【００４６】
なお、本実施の形態において、オリフィス４の第２の段差部１７に凸部９を設け、それに対向するファンケーシング３の第１の段差部１６に凹部８を設けたが、オリフィス４の第２の段差部１７に凹部を設け、それに対向するファンケーシング３の第１の段差部１６に凸部を設けても同様の効果を発揮する。
【００４７】
なお、本実施の形態において、凹部８は穴形状としても同様の効果を発揮する。
【００４８】
また、図８に示すように、オリフィス４の外周縁部の爪部５および、ファンケーシング３の内周縁部の切欠部６を複数個設ける場合は等間隔でなく、ピッチを変えて設けることにより、ファンケーシング３に対するオリフィス４の取り付け方向を単一方向のみに一義的に決めて取り付けることができるようになる。
【００４９】
また、図４に示すように、オリフィス４裏面に設けた爪部５には回動方向（図中矢印方向）の先端の厚みが薄くなるように傾斜を設けているので、回動の最初の段階ではファンケーシング３の内周縁部下面と爪部５上面とで形成される空間が広く、ファンケーシング３を挟み込みやすい形状となっており、回動とともにファンケーシング３の内周縁部下面と爪部５上面とで形成される空間が狭くなっていき、ファンケーシング３を挟み込む力を増大させることができるので、より少ない力でオリフィスの回動を行なうことができるとともに、接合面を密着させることができる。
【００５０】
また、図２に示すように、オリフィス４の外周縁部には爪部５の上面側の対向する位置に爪切欠部７を設けることによりアンダーカットをなくして、オリフィス４の成形を容易にしている。
【００５１】
また、図５に示すように、オリフィス４の吸込面側には、裏面の第２の段差部に合わせてオリフィス４の内側が低くなるような第３の段差部１８を設けており、樹脂肉厚を均一に成形して、樹脂成形時の熱収縮による変形を抑えることができ、成形の品質を向上させている。
【００５２】
また、図３に示すように、オリフィス４の吸込面側につまみ１０を設けることにより、回動の操作性を向上させている。
【００５３】
また、凸部９はつまみ１０を設けた箇所の裏面に設けるとオリフィス４を着脱する際につまみ１０を手前側に引張ることにより、凸部９が凹部８から確実に外れる構成となる。
【００５４】
また、図５〜図７に示すように、オリフィス４の吸込面側に設けた前記オリフィスの内側が低くなるような第３の段差部１８に嵌合するフィルター１１を設けることによりファンケーシング内への埃の侵入を防ぐことができるので、ファンケーシング３に内蔵される羽根１、モーター２への埃の付着を防ぐことができる。特に屋内で使用する送風機器や換気扇では、綿ぼこりなど粒子の粗い埃が多いため、羽根１に埃が付着すると送風性能が低下し、また羽根１の形状が複雑なシロッコ型やターボ型では掃除が面倒であるが、フィルター１１で埃を遮断するため、フィルター１１のみ掃除をすれば容易に本来の送風性能を取り戻すことが可能になる。
【００５５】
また、フィルター１１はオリフィス４をファンケーシング３から取り外すと、オリフィス４と一体となってファンケーシング３から外れるため、ファンケーシング３内部の掃除性、メンテナンス性が損なわれることはない。
【００５６】
また、フィルター１１の外枠の内径はオリフィス４の内径よりも大きくすると、送風性能の低下は少なくすることができる。
【００５７】
また、図７および図８に示すように、フィルター１１に複数個設けた固定爪１２のうち、１つまたは複数個の固定爪１２の形状を大きくするなど大きさを不揃いにし、オリフィス３に固定爪１２に対向する位置に設けたフィルター１１取り付け用の穴部１３を固定爪１２のおのおのの大きさに合わせて設けることで、フィルター１１のオリフィス４に対する取り付け方向を単一方向のみに一義的に決めて取り付けることができるようになり、フィルター１１の網目方向が着脱の度に変わらないので、風の流れに沿ったフィルターの網目方向を画一的に決めて取り付けることができるので、性能の安定を図ることが可能になる。
【００５８】
なお、本実施の形態では固定爪１２の大きさを不揃いにしたが、オリフィス４と同様に、フィルター１１に設けた固定爪１２と、固定爪１２に対する穴部１３を複数個設ける場合は等間隔でなく、ピッチを変えて設けることによっても、フィルター１１の取り付け方向を単一方向のみに取り付けることができるようになる。
【００５９】
なお、本実施例では壁掛型の換気扇を例に説明したが、同様の送風機１５を有するものであれば、壁埋込型、天井埋込型、天井裏設置型などあらゆる換気扇において、同様の効果を発揮するものである。
【００６０】
なお、本実施の形態では換気扇に設けた送風機を例に説明したが、同様の送風機１５を有するものであれば送風機器、空調機器等であっても、同様の効果を発揮するものである。
【産業上の利用可能性】
【００６１】
本発明にかかる送風機は、ファンケーシング内の気密性を維持しつつオリフィスの着脱を行なうことができ、ファンケーシングに内蔵された羽根およびモーターの掃除、メンテナンスを容易に行なうことが可能になるので、本発明は屋内からの排気や屋内への給気を行なうため建物の内部に設けられる換気装置、送風機器等の送風機として有用である。
【図面の簡単な説明】
【００６２】
【図１】本発明の実施の形態１における送風機を換気扇に用いたときの壁面取付状態を示す断面図
【図２】同送風機の構成を示す斜視図
【図３】同送風機のオリフィスの構成を示す斜視図
【図４】同送風機のオリフィスの構成を示す側面図
【図５】同送風機のオリフィスの構成を示す断面図
【図６】同送風機のオリフィスにフィルターを設けた構成を示す背面図
【図７】同送風機のオリフィスとこれに取り付けられるフィルターの構成を示す側断面図
【図８】同送風機のオリフィスの構成を示す背面図
【図９】従来の送風機のベルマウス取付構造を示す断面図
【符号の説明】
【００６３】
１  羽根
２  モーター
３  ファンケーシング
４  オリフィス
５  爪部
６  切欠部
７  爪切欠部
８  凹部
９  凸部
１０  つまみ
１１  フィルター
１２  固定爪
１３  穴部
１４  吸込口
１５  送風機
１６  第１の段差部
１７  第２の段差部
１８  第３の段差部
【図１】
2005291550.tif 000003
【図２】
2005291550.tif 000004
【図３】
2005291550.tif 000005
【図４】
2005291550.tif 000006
【図５】
2005291550.tif 000007
【図６】
2005291550.tif 000008
【図７】
2005291550.tif 000009
【図８】
2005291550.tif 000010
【図９】
2005291550.tif 000011